(57)【要約】【課題】複数の機能ブロックを持つ多機能処理装置において、消費電力低減のため、使用中の機能ブロックのみに電力を供給するように構成すると、機能切り替えの際に時間がかかり操作性が悪くなる。【解決手段】カード再生部（第１の機能ブロック）１１０からテレビ受信部（第２の機能ブロック）１２０に動作を切り替える際、テレビ受信部１２０のチューナ制御部１２４の初期化に先立ち、カード再生制御部１１３によってテレビ受信部１２０のチューナ１２２を初期化することより、消費電力を最低限に落としつつ、カード再生部１１０からテレビ受信部１２０への切り替えを高速で実行できる。【選択図】図１
2007041951.tif 000002
【特許請求の範囲】
【請求項１】
所期の機能を実現する第１の処理部並びに、オペレーティングシステム及びアプリケーションソフトによって前記第１の処理部の動作を制御する第１の制御部を備えた第１の機能ブロックと、
所期の機能を実現する第２の処理部並びに、オペレーティングシステム及びアプリケーションソフトによって前記第２の処理部の動作を制御する第２の制御部を備えた第２の機能ブロックと、
前記第１及び第２の機能ブロックへの電力供給と動作の制御を行うシステム制御部とを備え、
前記第１の制御部に、前記第２の処理部の動作を制御するアプリケーションソフトのうち少なくとも初期化の動作を制御するソフトウェアを記憶させ、前記第１の機能ブロックから第２の機能ブロックに動作を切り替える際、前記第１の制御部は前記ソフトウェアにより前記第２の処理部の初期化を行うことを特徴とする多機能処理装置。
【請求項２】
前記第２の機能ブロックはセレクタを備え、前記セレクタは、前記システム制御部の制御に従い、前記第１及び第２の制御部からの制御信号を前記第２の処理部に切り替えて供給することを特徴とする請求項１に記載の多機能処理装置。
【請求項３】
前記システム制御部は、前記第２の処理部の初期化終了後、前記第１の機能ブロックへの電力供給を停止し、かつ前記第２のブロックは、前記第２の制御部に記憶されたアプリケーションソフトによって前記第２の処理部の動作を制御することを特徴とする請求項１又は２に記載の多機能処理装置。
【請求項４】
前記第１の機能ブロックが、カードに記録されたビデオデータ及びオーディオデータを映像信号及び音声信号に変換するカード再生部であり、前記第２の機能ブロックが、チューナで受信したビデオデータ及びオーディオデータを映像信号及び音声信号に変換するテレビ受信部であることを特徴とする請求項１〜３のいずれかに記載の多機能処理装置。
【請求項５】
所期の機能を実現する処理部並びに、オペレーティングシステム及びアプリケーションソフトによって前記処理部の動作を制御する制御部を備えた機能ブロックと、
前記機能ブロックへの電力供給と動作の制御を行うシステム制御部とを備え、
前記システム制御部に、前記処理部の初期化の動作を制御するソフトウェアを記憶させ、前記機能ブロックを動作させる際、前記システム制御部は前記ソフトウェアにより前記処理部の初期化を行うことを特徴とする多機能処理装置。
【請求項６】
前記機能ブロックはセレクタを備え、前記セレクタは、前記システム制御部の制御に従い、前記システム制御部及び前記機能ブロックの制御部からの制御信号を前記処理部に切り替えて供給することを特徴とする請求項４に記載の多機能処理装置。
【請求項７】
前記機能ブロックが、チューナで受信したビデオデータ及びオーディオデータを映像信号及び音声信号に変換するテレビ受信部であることを特徴とする請求項５又は６に記載の多機能処理装置。
【発明の詳細な説明】
【技術分野】
【０００１】
本発明は、複数の機能ブロックを必要に応じて切換えて使用する多機能処理装置に関する。
【背景技術】
【０００２】
近年、複数の機能を備えたモバイル機器、例えばテレビチューナ付ビデオカードプレーヤなどが製品化され、屋外で複数の機能を実現できる機器が注目されている。
一般に、モバイル機器では、消費電力を低減し電池寿命を長くすることが、使い勝手をよくする上で重要であるため、複数の機能を有するモバイル機器では、その機能を使用するときだけ電力を供給し、使用しないときには電力を遮断する方法が用いられる。
【０００３】
例えばテレビチューナ付ビデオカードプレーヤでは、テレビ放送を視聴するときは、テレビチューナ側の機能ブロックの電源をオンにする一方、ビデオカードプレーヤ側の機能ブロックの電源をオフにし、逆にビデオカードプレーヤでメモリカードに格納されているビデオデータを視聴する場合には、ビデオカードプレーヤ側の電源をオンにする一方、テレビチューナ側の電源をオフにすることにより、消費電力の低減を図っている。
【０００４】
しかしながら、昨今の機能ブロックでは、その制御及び処理にＣＰＵを用いることが多く、電源を投入してからオペレーティングシステム（ＯＳ）をロードして実際の処理を開始するまでに時間がかかる。このため従来の多機能処理装置では、機能を切り替える際に時間がかかり、操作性が悪くなると言う問題点があった。
【０００５】
以下、従来の多機能処理装置における機能ブロックの制御について、図面を参照して説明する。
図４（Ａ）、（Ｂ）は従来の多機能処理装置を構成する機能ブロックのハードウェア及びソフトウェアの構成を示したものである。図４（Ａ）において、フラッシュメモリ等のＲＯＭ４１２には図４（Ｂ）に示すソフトウェアを構成するプログラムが記憶されており、このプログラムをバス４１５を介してＲＡＭ４１３に読み出し、ＣＰＵ４１１で前記プログラムに基づいた処理を実行し、ケーブル４１６を介して制御対象となる外部機器に制御信号を送出することで所期の機能を実現している。
【０００６】
図４（Ｂ）は図４（Ａ）のハードウェア４１０の機能を実現するためのソフトウェア４２０の構成を示したものである。ソフトウェア４２０は２層構造をなしており、機能ブロックの基本的動作を制御するオペレーティングシステム４２１と、機能ブロックの所期の機能を実現するアプリケーションソフト４２２で構成されている。
【０００７】
このような機能ブロックを動作させる際には、ハードウェア４１０に電力を供給すると共に、ソフトウェア４２０を構成するプログラムをＲＯＭ４１２からＲＡＭ４１３に読み出し、アプリケーションソフト４２２のうち初期化の際に外部機器の制御を行うソフトウェア４２３を用いて外部機器を動作可能な状態に立ち上げ、その後、アプリケーションソフト４２２のうち定常時用のフトウェア４２４を用いて外部機器の制御を行っている。
【発明の開示】
【発明が解決しようとする課題】
【０００８】
上述した従来の多機能処理装置において、電源を投入した後処理を開始する際には、ソフトウェア（オペレーティングシステム及びアプリケーションソフト）を構成するプログラムをハードウェアにロードすると共に初期化処理をする必要があるため、実際の処理を開始するまでにかなりの時間がかかる。このため、使用する機能ブロックだけに電力を供給するような従来の多機能処理装置では、機能を切り替える際に時間がかかり、操作性が悪くなるという問題点があった。
【課題を解決するための手段】
【０００９】
上記課題を解決するため、本発明の第１の多機能処理装置は、所期の機能を実現する第１の処理部並びに、オペレーティングシステム及びアプリケーションソフトによって前記第１の処理部の動作を制御する第１の制御部を備えた第１の機能ブロックと、所期の機能を実現する第２の処理部並びに、オペレーティングシステム及びアプリケーションソフトによって前記第２の処理部の動作を制御する第２の制御部を備えた第２の機能ブロックと、前記第１及び第２の機能ブロックへの電力供給と動作の制御を行うシステム制御部とを備え、前記第１の制御部に、前記第２の処理部の動作を制御するアプリケーションソフトのうち少なくとも初期化の動作を制御するソフトウェアを記憶させ、前記第１の機能ブロックから第２の機能ブロックに動作を切り替える際、前記第１の制御部は前記ソフトウェアにより前記第２の処理部の初期化を行うことを特徴とする。
【００１０】
上記本発明の第１の多機能処理装置において、前記第２の機能ブロックはセレクタを備え、前記セレクタは、前記システム制御部の制御に従い、前記第１及び第２の制御部からの制御信号を前記第２の処理部に切り替えて供給することが好ましい。
同様に、前記システム制御部は、前記第２の処理部の初期化終了後、前記第１の機能ブロックへの電力供給を停止し、かつ前記第２のブロックは、前記第２の制御部に記憶されたアプリケーションソフトによって前記第２の処理部の動作を制御することが好ましい。
【００１１】
また上記本発明の第１の多機能処理装置において、前記第１の機能ブロックが、カードに記録されたビデオデータ及びオーディオデータを映像信号及び音声信号に変換するカード再生部であり、前記第２の機能ブロックが、チューナで受信したビデオデータ及びオーディオデータを映像信号及び音声信号に変換するテレビ受信部であってもよい。
【００１２】
また本発明の第２の多機能処理装置は、所期の機能を実現する処理部並びに、オペレーティングシステム及びアプリケーションソフトによって前記処理部の動作を制御する制御部を備えた機能ブロックと、前記機能ブロックへの電力供給と動作の制御を行うシステム制御部とを備え、前記システム制御部に、前記処理部の初期化の動作を制御するソフトウェアを記憶させ、前記機能ブロックを動作させる際、前記システム制御部は前記ソフトウェアにより前記処理部の初期化を行うことを特徴とする。
【００１３】
上記本発明の第２の多機処理処理装置において、前記機能ブロックはセレクタを備え、前記セレクタは、前記システム制御部の制御に従い、前記システム制御部及び前記機能ブロックの制御部からの制御信号を前記処理部に切り替えて供給することが好ましい。
【００１４】
また上記本発明の第２の多機能処理装置において、前記機能ブロックが、チューナで受信したビデオデータ及びオーディオデータを映像信号及び音声信号に変換するテレビ受信部であってもよい。
【発明の効果】
【００１５】
本発明の多機能処理装置は、第１の機能ブロックから第２の機能ブロックに動作を切り替える際、第２の機能ブロックの第２の制御部の初期化に先立ち、第１の機能ブロックの第１の制御部もしくはシステム制御部により、第２の機能ブロック内の第２の処理部を初期化するように制御するものであり、消費電力を最低限に落としつつ、第１の機能ブロックから第２の機能ブロックへの切り替えを高速で実行できる。
【発明を実施するための最良の形態】
【００１６】
以下、本発明を実施するための最良の形態について、図面を参照して具体的に説明する。
（実施の形態１）
本発明の実施の形態１では、第１の機能ブロックをメモリカード上のビデオデータを再生するビデオカード再生部、第２の機能ブロックをデジタル・テレビ放送を受信するテレビ受信部とした場合について説明する。
【００１７】
図１は本実施の形態１における多機能処理装置のブロック図である。図１において、１１０はメモリカード（図示せず）に記録されたビデオデータ及びオーディオデータを再生するカード再生部、１２０はデジタル・テレビ放送を受信するテレビ受信部、１３０はカード再生部１１０とテレビ受信部１２０から送出される映像信号を表示し、また音声信号を再生するＡＶ出力部、１００は入力部１０２からの信号に基づいてカード再生部１１０、テレビ受信部１２０及びＡＶ出力部１３０を制御するシステム制御部である。
【００１８】
また１０１は、システム制御部１００の指示により、カード再生部１１０、テレビ受信部１２０及びＡＶ出力部１３０に電力を供給する電源部、１０２は、多機能処理装置の使用者が電源のオン、機能の切替などを選択する入力部である。
【００１９】
カード再生部１１０は、カード入出力インターフェース（以下、カード入出力ＩＦという）１１１、カードデータデコーダ１１２及びカード再生制御部１１３で構成されている。カード入出力ＩＦ１１１はメモリカードとのインターフェースを司り、カードデータデコーダ１１２はメモリカードから取り出されたビデオデータ及びオーディオデータをデコード処理して映像信号及び音声信号を再生する。一方、カード再生制御部１１３は、カード入出力ＩＦ１１１とカードデータデコーダ１１２の動作を制御する。
【００２０】
次に、テレビ受信部１２０は、アンテナ１２１、チューナ１２２、チューナデータデコーダ１２３、チューナ制御部１２４及びセレクタ１２５で構成されている。チューナ１２２はアンテナ１２１で受信したテレビ放送の信号を復調し、チューナデータデコーダ１２３はチューナ１２２で復調された放送データをデコード処理する。チューナ制御部１２４はチューナ１２２とチューナデータデコーダ１２３をセレクタ１２５を介して制御する。セレクタ１２５はシステム制御部１００の指示により、カード再生制御部１１３からの制御信号、もしくはチューナ制御部１２４からの制御信号のいずれかを選択してチューナ１２２に供給する。
【００２１】
次に、ＡＶ出力部１３０のうち１３１は、カード再生部１１０もしくはテレビ受信部１２０から送出されたビデオデータを映像に変換して表示する映像表示部、また１３２は、カード再生部１１０もしくはテレビ受信部１２０から送出されたオーディオデータをＤＡ変換し、音声として出力する音声出力部である。
【００２２】
図２（Ａ）、（Ｂ）はカード再生部１１０の制御を司るカード再生制御部１１３のハードウェア構成とソフトウェア構成を示したものである。図２（Ａ）において、カード再生制御部１１３のハードウェア２１０は、全体の動作を制御するＣＰＵ２１１、制御用のプログラム等を記憶したＲＯＭ２１２、プログラムやデータを一時的に記憶するＲＡＭ２１３、外部機器との間でのデータ転送を制御するＩＦ２１４、及びカード再生制御部１１３の内部でデータのやり取りを行うバス２１５で構成されている。
【００２３】
ＲＯＭ２１２には図２（Ｂ）に示すソフトウェア２２０を構成するプログラムが格納されており、このプログラムをＲＡＭ２１３に読み出し、ＣＰＵ２１１でプログラムに基づいた処理を実行し、ケーブル２１６を介して外部機器であるカードデータデコーダ１１２に制御信号を送出して指示を行うことで所期の機能を実現している。
【００２４】
図２（Ｂ）にカード再生部１１０の機能を実現するためのソフトウェア２２０の構成を示す。前述したようにソフォトウェアは２層構造をなしており、基本的動作を制御するオペレーティングシステム２２１とアプリケーションソフト２２２、２２５で構成されている。アプリケーションソフトのうち２２２はカード再生部用のアプリケーションソフトであり、初期化の際の動作を制御するソフトウェア２２３と定常時の動作を制御するソフトウェア２２４からなる。一方、２２５はテレビ受信部用のアプリケーションソフトであり、チューナ１２２の初期化用のソフトウェア２２６が含まれている。
【００２５】
次に、本実施の形態１の多機能処理装置の動作について説明する。入力部１０２よりカード再生の指令が来ると、システム制御部１００は、電源部１０１に、カード再生部１１０とＡＶ出力部１３０に電力を供給するよう指示する。カード再生部１１０は、電力が供給されると、カード再生制御部１１３に図２（Ｂ）のソフトウェア２２０がロードされると共に初期化処理が行われ、カード再生部用のアプリケーションソフト２２２を用いて、カード入出力ＩＦ１１１とカードデータデコーダ１１２を制御し、カードに記録されたビデオデータとオーディオデータを基に映像信号と音声信号を再生する。
【００２６】
次に、入力部１０２よりテレビ受信の指令が来ると、システム制御部１００は、電源部１０１にテレビ受信部１２０への電力供給を指示するとともに、セレクタ１２５にカード再生制御部１１３からの制御信号を選択するよう指示する。
【００２７】
テレビ受信部１２０に電力が供給されると、チューナ制御部１２４へのソフトウェアのロード及び初期化処理が開始される。
この間、カード再生制御部１１３は、セレクタ１２５を介し、カード再生制御部１１３にロードされたテレビ受信部用のソフトウェア２２６によってチューナ１２２を制御し、チューナ１２２の初期化を行う。具体的には、デフォルトチャンネルの設定、同期信号の検出等を行う。
【００２８】
カード再生制御部１１３によるチューナ１２２の初期化処理が完了すると、システム制御部１００は、セレクタ１２５にチューナ制御部１２４の制御信号を選択するよう指示する。その後、システム制御部１００は、チューナ制御部１２４に、チューナ１２２で復調された放送データの処理開始を指示する。
【００２９】
チューナ制御部１２４は、ソフトウェアのロード及び初期化処理の完了後、システム制御部１００の指示に基づき、チューナデータデコーダ１２３に対して、チューナ１２２からのデータの取得、放送データのデコードとＡＶ出力部１３０への出力を随時指示し、映像信号と音声信号が適切なタイミングで出力されるように制御する。
【００３０】
チューナ１２２の初期化処理は、デフォルトチャンネルの設定、同期信号の検出等、それなりの時間がかかるため、チューナ制御部１２４へのソフトウェアのロード及び初期化処理と並行して、チューナ１２２の初期化を実行することとにより、チューナ制御部１２４へのソフトウェアのロード及び初期化を完了してからチューナ１２２の初期化を実行する場合に比べ、早く、映像信号や音声信号のデコード及び出力処理を開始することができる。
その後、システム制御部１００は電源部１０１にカード再生部１１０への電力供給を停止するよう指示する。
【００３１】
なおシステム制御部１００は、動作モードに関わらず常に動作するため、処理性能は低いが消費電力の小さいＣＰＵを採用し、消費電力を最低限に抑えるように構成し、処理負荷の重いチューナデータデコーダ１２３の制御をチューナ制御部１１３に分担させるようにしている。
【００３２】
以上のように本実施の形態１の多機能処理装置は、カード再生中はカード再生部１１０へ電力供給をオンにする一方、テレビ受信部１２０への電力供給をオフにし、逆にテレビ視聴中は、カード再生部１１０への電力供給をオフにする一方、テレビ受信部１２０への電力供給をオンにすることにより消費電力を低減するとともに、カード再生部１１０からテレビ受信部１２０へ動作を切り替える際に、既に動作中のカード再生制御部１１３を用いて、テレビ受信部１２０のチューナ１２２の初期化を行っている。このため、チューナ制御部１２４へのソフトウェアのロード及び初期化処理を待たずにチューナ１２２の初期化を実行できるので、使用者がテレビ視聴への切替を指示してから、より早くチューナ１２２の初期化を完了し、テレビ視聴を開始することができる。
【００３３】
（実施の形態２）
次に、図３を参照して本発明の実施の形態２の多機能処理装置について説明する。
図３は本実施の形態２の多機能処理装置の構成を示すブロック図である。本実施の形態２の構成は、ほとんどの部分が実施の形態１と同じであるため、実施の形態１の多機能処理装置との相違点についてのみ説明する。
【００３４】
図３に示す多機能処理装置においては、図２（Ｂ）に示したテレビ受信部用のアプリケーションソフト２２５の初期化用ソフトウェア２２６がオペレーティングシステムとともにシステム制御部１００にロードされる。
【００３５】
セレクタ１２６は、システム制御部１００の指示により、システム制御部１００からの制御信号、もしくはチューナ制御部１２４からの制御信号のいずれかを選択してチューナ１２２に供給する。
【００３６】
前述した実施の形態１では、カード再生部１１０からテレビ受信部１２０へ動作を切り替える際に、先行して、カード再生制御部１１３がチューナ１２２を初期化するように構成したが、本実施の形態２では、カード再生部１１０からテレビ受信部１２０へ動作を切り替える際に、先行してシステム制御部１００がチューナ１２２を初期化するように構成している。
【００３７】
すなわち、本実施の形態２では、カード再生中は、カード再生部１１０への電力供給をオンにする一方、テレビ受信部１２０への電力供給をオフにし、逆にテレビ視聴中は、カード再生部１１０への電力供給をオフにする一方、テレビ受信部１２０への電力供給をオンにすることで消費電力を低減するとともに、カード再生部１１０からテレビ受信部１２０へ動作を切り替える際に、既に動作中のシステム制御部１００を用いて、テレビ受信部１２０のチューナ１２２を初期化している。
【００３８】
このため、チューナ制御部１２４へのソフトウェアのロード及び初期化処理を待たずにチューナ１２２の初期化を実行できるので、使用者がテレビ視聴への切替を指示してから、より早くチューナ１２２の初期化を完了し、テレビ視聴を開始することができる。
【００３９】
なお、本実施の形態２において、システム制御部１００にオペレーティングシステムとテレビ受信部用のアプリケーションソフトを共にロードするとしたが、前述したようにシステム制御部１００は消費電力が小さく処理能力が低いＣＰＵを採用するのが一般的であるため、オペレーティングシステムはロードせず、テレビ受信部用のアプリケーションソフトだけをロードするように設計しても良い。
【００４０】
また、上記本発明の各実施の形態では、カード再生部１１０からテレビ受信部１２０への移行処理を高速化する方法について説明したが、同様の仕組みをテレビ受信部１２０に備えることにより、テレビ受信部１２０からカード再生部１１０への切り替えも高速化できる。
【００４１】
さらに本発明の各実施の形態では、２つの機能ブロックを有する多機能処理装置について説明したが、３つ以上の機能ブロックを有する場合も、同様の構成をとることにより切り替えの高速化を図ることができる。
【産業上の利用可能性】
【００４２】
本発明の多機能処理装置によれば、消費電力を最低限に落としつつ、第１の機能ブロックから第２の機能ブロックへの切替を高速に実行することができるため、モバイル機器のみならず、消費電力の低減を目的とした多くの情報処理装置に利用可能なものである。
【図面の簡単な説明】
【００４３】
【図１】本発明の実施の形態１における多機能処理装置の構成を示すブロック図
【図２】実施の形態１のカード再生制御部のハードウェア及びソフトウェアの構成を示す図
【図３】本発明の実施の形態２における多機能処理装置の構成を示すブロック図
【図４】従来の多機能処理装置における機能ブロックのハードウェア及びソフトウェアの構成を示す図
【符号の説明】
【００４４】
１００  システム制御部
１０１  電源部
１０２  入力部
１１０  カード再生部
１１１  カード入出力ＩＦ
１１２  カードデータデコーダ
１１３  カード再生制御部
１２０  テレビ受信部
１２１  アンテナ
１２２  チューナ
１２３  チューナデータデコーダ
１２４  チューナ制御部
１２５  セレクタ
１２６  セレクタ
１３０  ＡＶ出力部
１３１  映像表示部
１３２  音声出力部
【図１】
2007041951.tif 000003
【図２】
2007041951.tif 000004
【図３】
2007041951.tif 000005
【図４】
2007041951.tif 000006